(57)【要約】【課題】  記録媒体にマルチチャネルストリームを記録する時各々のデジタルチャネルストリームを再生時に区分できる形態で記録し、各デジタルチャネルストリームを区分できる管理情報を生成して記録する。【解決手段】  複数チャネルのサブストリームからなる一つのマルチチャネルストリームを、チャネルごとにデータブロック単位でインターリーブしながら記録して一つの記録集合体に区画して、区画された記録集合体のマルチストリームに含まれた複数チャネルサブストリーム各々に対するサーチ情報、複数チャネル数だけのサーチ情報を生成して記録する。したがって、マルチチャネルストリームを記録媒体に記録した後にもこれをそれぞれチャネルごとに別々にサーチしたり再生することができる。【選択図】    図３
2005251392.tif 000002
【特許請求の範囲】
【請求項１】
複数のチャネルである複数の再生経路を表す少なくともビデオデータの再生を管理するためのデータ構造が記録された記録媒体であって、
少なくともビデオデータからなる伝送ストリームを格納するためのデータ領域を備え、
前記伝送ストリームは、複数の伝送パケットに分割され、前記複数の伝送パケットはそれぞれ、前記複数の再生経路のうちいずれか１つに関連付けられ、
前記複数の再生経路のそれぞれ１つに関連付けられた複数の伝送パケットは、複数のデータブロックにグループ分けされ、前記データブロックごとに互いにインターリーブされているとともに、前記各再生経路を指示する第１ナビゲーションユニット、前記複数の第１ナビゲーションユニットを含む第２ナビゲーションユニット、及び複数の第２ナビゲーションユニットを含む第３ナビゲーションユニットから構成されるものの、
第３ナビゲーション内に構成された第２ナビゲーションユニットは、並んでいる順に再生され、
第２ナビゲーションユニット内の第１ナビゲーションユニットは、複数の第１ナビゲーションユニットのうちいずれか１つが選択再生される特徴を有するナビゲーション情報のためのナビゲーション領域をさらに備えることを特徴とする記録媒体。
【請求項２】
前記第１ナビゲーションユニットは複数のマップ情報を含むことを特徴とする請求項１に記載の記録媒体。
【発明の詳細な説明】
【技術分野】
【０００１】
本発明は、再記録可能な高密度ＤＶＤ（ＨＤ−ＤＶＤ）のような記録媒体に、マルチチャネルストリームを、デジタルチャネルごとに区別されるように記録する方法及びその記録装置、並びにマルチチャネルストリームが記録された記録媒体に関する。
【背景技術】
【０００２】
デジタル画像圧縮及びデジタル変調／復調のようなデジタル技術の発展によって、映像をデジタルデータとして伝送するデジタルテレビ放送に関する標準化が速い速度で進展されている。デジタルテレビ放送は送信する映像／音声（Ａ／Ｖ）信号をＭＰＥＧ−２で圧縮して、その圧縮された映像／音声データを１８８−バイトの伝送パケット（ＴＰ：Transport Packet）で構成された伝送ストリーム（ＴＳ：Transport Stream）形態で伝送する。
【０００３】
デジタル画像／音声圧縮技術及びデジタル伝送技術の発展によって商用化が可能になったデジタル放送は、アナログ放送信号より高画質の映像を提供でき、デジタル通信装置及びデジタル記憶装置などとの相互運用性を高めることができる長所がある。
【０００４】
一方、デジタルテレビ放送によって送信される放送プログラムである伝送ストリームを受信して再記録可能な高密度ＤＶＤに記録するためのＤＶＤレコーダが開発されている。これはデジタルテレビ放送と一緒に広く商用化されるものに予想される。
【０００５】
ところで、普通６ＭＨｚの周波数帯域を占める一つのデジタル放送チャネル（RF channel）は１９．４Ｍｂｐｓの伝送レートを保障する。この程度の伝送レートは一つのＨＤ−ＴＶ放送信号を伝送することができるが、ＨＤ−ＴＶ信号より画質が低いＳＤ−ＴＶ放送信号を伝送する時は大体４つ程度の他のプログラムを伝送することができる。このように一つのＲＦチャネル内で他のプログラムを伝送する仮想チャネルを「デジタルチャネル」という。
【０００６】
前記のように一つのＲＦチャネル内で複数の異なるデジタルチャネルを受信することができるので、現在開発されているＤＶＤレコーダはユーザーの要請によって２以上のデジタルチャネルを同時に記録することもある。このように記録する時一つのデジタルチャネルを記録する方式と同じ方式で記録して、「それに対する管理情報を生成するようにすると、ＤＶＤレコーダでは記録されたプログラムを区分することができなくなり、ユーザーがは複数のデジタルチャネルデータから特定の一つのチャネルデータのみを再生することができない。
【発明の開示】
【発明が解決しようとする課題】
【０００７】
本発明は前記のような問題を解決するために創作されたものであり、記録媒体にマルチチャネルストリームを記録する時、各々のデジタルチャネルストリームを再生時に区分できる形態で記録し及び／または各デジタルチャネルストリームを区分できる管理情報を生成して記録する装置及び方法を提供すると共に、それによってマルチチャネルストリームが記録された記録媒体を提供することが目的である。
【課題を解決するための手段】
【０００８】
前記のような目的を達成するための本発明によるマルチチャネルストリームの記録方法は、複数チャネルに属するサブストリームからなる一つのマルチチャネルストリームを、チャネルごとにデータブロック単位でインターリーブしながら記録して一つの記録集合体として区画する１段階；及び前記記録集合体のマルチストリームに含まれた複数チャネルのサブストリーム各々に対するサーチ情報を生成して記録する２段階を含むことを特徴とする。
【０００９】
本発明によるマルチチャネルストリームの記録装置は、受信されるデジタル放送信号のＲＦチャネルを一つ以上受信して複数チャネルのサブストリームからなるマルチストリームを出力するデータ受信器；及び前記出力されるマルチチャネルストリームを、チャネルごとにデータブロック単位でインターリーブしながら記録媒体に記録して一つの記録集合体に区画し、前記記録集合体のマルチストリームに含まれた複数チャネルのサブストリームの各々に対するサーチ情報を生成して記録する記録手段を含むことを特徴とする。
【発明の効果】
【００１０】
本発明によるマルチチャネルストリーム記録装置及び方法は、マルチチャネルストリームを記録媒体に記録した後にもこれをそれぞれチャネルごとに区分してサーチしたり再生することができるので、デジタルレコーダユーザーの使用上便宜性を向上させる。
【発明を実施するための最良の形態】
【００１１】
以下、本発明によるマルチチャネルストリームの記録装置及び方法に対する望ましい実施形態に対して、添付された図面を参照して詳細に説明する。
【００１２】
図１は本発明実施形態によるマルチチャネルストリームの記録装置の構成を示したものである。図１の記録装置は、記録媒体、例えば再記録可能な高密度ＤＶＤに放送信号を記録するデジタルビデオレコーダ（ＤＶＲ）である。図１のビデオレコーダは、デジタル放送を同調受信して所望するＲＦチャネルを選択出力するためのチューナ部１０、選択されたＲＦチャネルの伝送ストリーム中選択された複数のデジタルチャネルストリームを選択出力するためのストリーム選択部１１、選択出力される複数のチャネルストリームを指定された記録方式によって一つまたはそれ以上の記録集合体（ＨＯＢ：High-density stream OBject）に記録して、それに対応するナビゲーション情報を生成記録するためのストリーム記録部１２、ストリーム記録部１２から出力されるストリームとナビゲーション情報を高密度ＤＶＤ（ＨＤ−ＤＶＤ）１００にマークとスペースのパターンとして記録する光ピックアップ１３、及びマルチストリームを記録するために前記構成手段の作動を全体的に制御する制御部１４を含む。
【００１３】
チューナ部１０は、制御部１４を通して選択された一つのデジタル放送チャネル、すなわちＲＦチャネルを同調して出力する。ストリーム選択部１１は、同調出力されるＲＦチャネルに多重化されているマルチチャネルストリームから、制御部１４によって選択された複数の、例えば２つのデジタルチャネルに属する伝送パケットのみを抽出して出力する。その際、抽出されて出力される各デジタルチャネル伝送ストリームを、図２に示したように多重化されて一つのストリーム２０１として出力したり、そうでなければ、デジタルチャネルごとに区分してそれぞれ２０２1、２０２2として出力することができる。
【００１４】
そして、チューナ部１０は、複数のＲＦチャネルを取り出すことができるが、その際にはストリーム選択部１１が異なるＲＦチャネルから各々一つ以上のデジタルチャネルを選択して複数のデジタルチャネル伝送ストリームを出力することができる。
【００１５】
以下の説明では説明の便宜のためにストリーム選択部１１が選択する複数のデジタルチャネルの数を２とする。
【００１６】
ストリーム記録部１２は、ストリーム選択部１１から出力される二つのデジタルチャネルストリームの伝送パケットのパケット識別子（ＰＩＤ：Packet ID）を検出して、それぞれ異なる第１デジタルチャネルストリームと第２デジタルチャネルストリームに区分して認識する。
【００１７】
この第１及び第２デジタルチャネルストリームは、予め定めた指定された記録方式によって記録されるが、その指定された記録方式が「混合／グループ記録方式」であれば、図３に示したように、一つの記録集合体３０１にストリーム記録部１２からの多重化された二つのサブストリームを記録し、各サブストリームごとにいくつかの伝送パケットを所定単位で集め、異なるチャネルの集められた単位を順に配置する。
【００１８】
ストリーム記録部１２は、前記のように区分認識されるデジタルチャネル情報と各デジタルチャネルのストリームの記録情報に基づいて各デジタルチャネルに対するナビゲーション情報を、次に説明するように生成して記録する。
【００１９】
図３は、一つの記録集合体に所定単位でグループ化されて記録された複数のデジタルチャネルストリームに対してナビゲーション情報を生成する第１実施形態を図式的に示したものである。
【００２０】
デジタル放送信号を記録するための記録媒体は記録規格を有しているが、その規格によると、記録媒体は記録されたプログラムの索引及び相互間の再生順序のためのプログラムチェーン情報（ＰＧＣＩ：Program Chain Information）を有する。このプログラムチェーン情報には、１回に記録されたデータストリームに対してそれぞれ一つずつ生成するプログラム情報（ＰＧＩ：ProGram Information）とセル情報（ＣＩ：Cell Information）が含まれる。そして、また記録規格によると記録されたストリームをサーチのために、記録ストリームの任意単位ごとに対する位置または位置に相応する時間長さの集合であるタイムマップＰＴＭＡＰが、一度の記録作動によって記録されたデータストリームの一つに一つずつ生成する。そして、各タイムマップに対するサーチポインターと情報は記録集合体情報（ＨＯＢＩ：HOB Information）に記録される。
【００２１】
しかし、本発明によって二つのデジタルチャネルストリームが所定単位でグループ化されながら一緒に記録された記録集合体３０１に対して、図３に示したように一つではなく二つのセル情報Ｃｅｌｌ  ＃１、Ｃｅｌｌ  ＃２と、二つのタイムマップＰＴＭＡＰに対する二つのタイムマップ情報ＰＴＭＡＰＩを各デジタルチャネルストリームに対して生成する。そして、記録された２チャネルデータを有する一つのストリームに対しては規格でのように一つのプログラム情報ＰＧＩ  ＃１を生成する。したがって、本発明によって一つのプログラム情報に複数個、本実施形態では二つのセル情報が対応する。これは即一つのセルは単一チャネルのサブストリームに対する情報のみを有することを意味する。
【００２２】
プログラム情報とセル情報はプログラムチェーン情報に、タイムマップとタイムマップ情報は記録集合体情報に挿入される。
【００２３】
プログラムチェーン情報及び記録集合体情報のようなナビゲーションデータは、メモリ（図示せず）にロードされてから、前記のように生成したプログラム情報、セル情報、そして記録集合体の情報が挿入された後、マルチチャネルのストリームが記録完了されると高密度ＤＶＤ１００のナビゲーションデータ領域に記録される。
【００２４】
図４ないし７は、前述した図３のような形態でマルチチャネルストリームを記録する時生成記録されるナビゲーション情報の構成例を図示したものである。
【００２５】
プログラムチェーン情報ＰＧＣＩは、プログラムチェーン一般情報ＰＧＣ＿ＧＩと、多数のプログラム情報ＰＧＩ  ＃１〜＃ｎと、多数のセル情報サーチポインタＣＩ＿ＳＲＰ  ＃１〜＃ｍと、セル情報ＣＩ  ＃１〜＃ｍを含む、プログラム情報ＰＧＩは、本発明によって、プログラムタイプ情報ＰＧ＿ＴＹと、セル個数情報Ｃ＿Ｎｓを含む。
【００２６】
プログラムタイプ情報ＰＧ＿ＴＹは、図５に示したように、８ビットの大きさを有し、プログラムＰＧが削除可能なプログラムであるか否かを示すための１ビットのプロテクトフラグと、プログラムが単一チャネルストリームであるかマルチチャネルストリームであるかを指す単一／マルチフラグ（Ｓ／Ｍ）と、プログラム情報に対応する記録ストリームに含まれた放送チャネル（デジタルチャネル）数を示すための３ビットのチャネル個数情報Ｃhａｎｎｅｌ＿Ｎｓを含む。
【００２７】
例えば図３に示したように、２個のデジタルチャネルストリームが多重記録された記録集合体ＨＯＢ  ＃１に対しては、第１プログラム情報ＰＧＩ  ＃１のプログラムタイプ情報ＰＧ＿ＴＹのチャネル個数情報Ｃhａｎｎｅｌ＿Ｎｓに「０１０」（＝２）が記録され、単一／マルチフラグにはマルチストリームを示す「１」が記録される。
【００２８】
そして、各デジタルチャネルごとに一つのセル情報が生成するので、図３の例に対して、第１プログラム情報ＰＧＩ  ＃１のセル個数情報Ｃ＿Ｎｓフィールドにもやはり２が記録される。
【００２９】
そして、セル情報ＣＩは、図４に示したように、セルタイプ情報Ｃ＿ＴＹ、記録集合体情報サーチポインタ番号情報ＨＯＢＩ＿ＳＲＰＮ、タイムマップ番号（ＰＴＭＡＰＮ：Presentation MAP Number）、セル開始ＰＴＭ（Presentation Time）情報Ｃ＿Ｖ＿Ｓ＿ＰＴＭ及びセル終わりＰＴＭ情報Ｃ＿Ｖ＿Ｅ＿ＰＴＭフィールドで構成される。
【００３０】
８ビットの大きさを有するセルタイプ情報Ｃ＿ＴＹは、図６に示したように、セルがマルチチャネルセルであるか、単一チャネルセルであるかを示すための２ビットのセルタイプ識別情報Ｃ＿ＴＹ１と、セルが参照する記録ストリームの放送（デジタル）チャネル番号を示すための３ビットのセルチャネル番号情報Ｃ＿ＣＨ＿Ｎを含む。
【００３１】
例えば図３に示したように、２つのデジタルチャネルストリームが多重記録された記録集合体ＨＯＢ  ＃１を参照する第１セル情報及び第２セル情報のセルチャネル番号情報Ｃ＿ＣＨ＿Ｎには、前記第１及び第２デジタルチャネルストリームのチャネル番号が各々記録される。
【００３２】
前記セル情報ＣＩに含めて記録された記録集合体情報サーチポインタ番号情報ＨＯＢＩ＿ＳＲＰＮによって相互に連結される記録集合体情報ＨＯＢＩは、図７に示したように、記録集合体一般情報ＨＯＢＩ＿ＧＩの外に、多数のタイムマップサーチポインタＰＴＭＡＰ＿ＳＲＰ  ＃１〜＃ｎ、そして多数のタイムマップ情報ＰＴＭＡＰＩ  ＃１〜＃ｎを有する。記録集合体一般情報ＨＯＢＩ＿ＧＩには、記録集合体タイプ情報ＨＯＢ＿ＴＹ、記録集合体記録時間情報ＨＯＢ＿ＲＥＣ＿ＴＭ、記録集合体開始ＰＴＭ情報ＨＯＢ＿Ｖ＿Ｓ＿ＰＴＭ、記録集合体終わりＰＴＭ情報ＨＯＢ＿Ｖ＿Ｅ＿ＰＴＭ、タイムマップ個数情報ＰＴＭＡＰ＿Ｎｓ及び各タイムマップの開始アドレスＰＴＭＡＰ＿ＳＡ  ＃ｉが含まれる。
【００３３】
そして、各タイムマップ情報ＰＴＭＡＰＩは、タイムマップ一般情報ＰＴＭＡＰ＿ＧＩと、任意アクセスが可能な記録単位体（ＨＯＢＵ：High-density stream OBject Unit）のエントリーＨＯＢＵ＿ＥＮＴ  ＃１〜＃ｊのためのフィールドを含む。タイムマップ一般情報には、そのタイムマップ情報に対応する記録ストリームの伝送パケットのビデオパケット識別子Ｖ＿ＰＩＤと、オーディオパケット識別子Ａ＿ＰＩＤと、記録集合体情報の番号ＨＯＢＩ＿ＳＴＩＮと、記録単位体エントリー個数ＨＯＢＵ＿ＥＮＴ＿Ｎｓと、そしてタイムマップの開始ＰＴＭ情報ＰＴＭＡＰ＿Ｓ＿ＰＴＭ及び終わりＰＴＭ情報ＰＴＭＡＰ＿Ｅ＿ＰＴＭを含んで記録される。
【００３４】
図４ないし７のようなフォーマットのナビゲーション情報が生成され、記録されたマルチチャネルストリームに記録されるので、再生時に、プログラムチェーン情報ＰＧＣＩにある各プログラム情報ＰＧＩのプログラムタイプ情報ＰＧ＿ＴＹと、そのプログラムを参照するセル情報数Ｃ＿Ｎｓとによって任意の一つの記録集合体に複数のデジタルチャネルのストリームが記録されていることが分かる。
【００３５】
そして、その複数のデジタルチャネルストリームの各チャネル番号は、そのプログラム情報ＰＧＩと同一な索引番号ｉｎｄｅｘを有するセル情報ＣＩから把握できる。
【００３６】
また、複数のチャネルの記録ストリームの特定デジタルチャネルストリームのサーチ時には、記録集合体一般情報ＨＯＢＩ＿ＧＩに含まれているタイムマップ個数情報ＰＴＭＡＰ＿Ｎｓと各タイムマップの開始住所ＰＴＭＡＰ＿ＳＡ  ＃ｉ、そして各タイムマップ情報ＰＴＭＡＰＩ  ＃ｉの一般情報ＰＴＭＡＰ＿ＧＩのタイムマップ開始ＰＴＭ情報と終わりのＰＴＭ情報から選択されたデジタルチャネルに属するタイムマップを特定して、その特定されたタイムマップに記録されている、任意大きさ単位のＰＴＭ増加時間及び大きさ情報に基づいて特定されたデジタルチャネルのサブストリームのみをサーチして再生できるようにする。
【００３７】
図８は、一つの記録集合体にチャネルごとに所定単位でグループ化されて記録された複数のデジタルチャネルストリームに対してナビゲーション情報を生成する第２実施形態を図式的に示したものである。
【００３８】
図８の実施形態は、図３の実施形態とは違って、複数のデジタルチャネルストリームを一つの記録集合体に記録した後に、単一のセル情報を生成する。しかし各デジタルチャネルストリームを区分してサーチ及び再生するためのタイムマップ情報は複数のチャネル数だけ生成して記録する。
【００３９】
この２番目の実施形態は、最初の実施形態と比較して、複数のデジタルチャネルのストリームを所定ブロック単位でインターリーブさせて記録した後に生成するセル情報の個数が異なるので、セル情報ＣＩの構造は図４に示されたものと異なっている。
【００４０】
すなわち、セル情報は図４のフィールド他に、「チャネル数を記録するためのフィールド」をさらに有し、「タイムマップ番号」、「セル開始ＰＴＭ情報」及び「セル終わりＰＴＭ情報」を、そのセルが参照するマルチチャネルストリームのチャネル数だけ生成して記録する。そして、一つのセルが複数のチャネルストリームを管理するので、記録ストリームのチャネル番号を記録するためのフィールドが追加的にセル情報（またはプログラム情報）内に割り当てられる。
【００４１】
そして、セル情報が記録されたストリームのチャネル数を有しているので、プログラム情報ＰＧＩは「チャネル数」に対する情報を保管している必要がない。したがって、この２番目の実施形態の場合には、プログラム情報ＰＧＩのプログラムタイプ情報ＰＧ＿ＴＹに割り当てられた図５の３ビットのデジタルチャネル数フィールドＣhａｎｎｅｌ＿Ｎｓが除去される。
【００４２】
また、複数チャネルのストリームを記録しても一つのプログラム情報ＰＧＩと一つのセル情報ＣＩを生成するので、図４のプログラム情報ＰＧＩにあるセル個数情報Ｃ＿Ｎｓフィールドは削除される。
【００４３】
この２番目の実施形態の場合にも記録されたマルチチャネルストリームの各チャネルのサブストリームに対するすべての情報を第１実施形態のように保管しているので、選択されたデジタルチャネル、すなわちマルチストリーム内のサブストリームだけを再生し、かつサーチすることができる。
【００４４】
図９は、一つの記録集合体にチャネルごとに所定単位でグループ化されて記録された複数のデジタルチャネルストリームに対してナビゲーション情報を生成する第３実施形態を図式的に示したものである。
【００４５】
第３実施形態は複数チャネルのストリームを所定ブロック単位でインターリーブ記録する時セル情報及びタイムマップ情報はもちろんプログラム情報までもチャネル数だけ生成して記録する。
【００４６】
したがって、第３実施形態では、マルチチャネルストリーム内の一つのサブストリームに対して一つのプログラム情報ＰＧＩを通して管理する。このとき、一つのプログラム情報ＰＧＩは、一つのチャネルストリームを管理し、また一つの（またはそれ以上の）セル情報を必ず伴うので、複数のチャネルを記録するための情報をセル情報に記録しなければならない必要がない。
【００４７】
したがって、図６のマルチチャネル／単一チャネルを識別するための「セルタイプ」Ｃ＿ＴＹ１が不要でまたセル情報ＣＩではタイムマップ番号ＰＴＭＡＰＮフィールドが除去される。
【００４８】
また、各サブストリーム毎にプログラム情報ＰＧＩを生成するので、プログラム情報ＰＧＩが複数チャネルを管理する必要はない。したがって、図５のプログラムタイプＰＧ＿ＴＹ内のチャネル数情報Ｃｈａｎｎｅｌ＿Ｎｓが不要である。代わりに、対応するサブストリームのチャネル番号を記録するためのフィールドを、プログラム情報ＰＧＩに追加的に割り当てることができる。もしも、プログラム情報ＰＧＩにサブストリームのチャネル番号を記録するためのフィールドが割り当てられれば、対応するセル情報ＣＩのセルタイプフィールドＣ＿ＴＹにチャネル番号Ｃ＿ＣＨ＿Ｎサブフィールドを割り当てなくても良い。
【００４９】
図１０は、一つの記録集合体に記録された複数のデジタルチャネルストリームに対してナビゲーション情報を生成する第４実施形態を図式的に示したものである。
【００５０】
第４実施形態は、複数のチャネルストリームが記録される時、各チャネルのサブストリームに対するタイムマップ情報の他にマルチチャネルストリームに対する全体のタイムマップ情報１００１を追加的に有することが第１実施形態と異なる。
【００５１】
そして、タイムマップの形態が単一サブストリームとマルチストリームに対して各々存在するので、これらのタイプを区分する必要がある。したがって、図７のタイムマップ一般情報ＰＴＭＡＰ＿ＧＩには「単一」または「混合」を区分するための「タイムマップタイプフィールド」が追加的に割り当てられる。同様にセル情報ＣＩも「単一」のサブストリームを参照するためのものと「混合」のマルチストリームを参照するためのものに区別されるので、これを区分するためのフィールドが追加的に必要である。このフィールドを追加する代わり図６のセルタイプＣ＿ＴＹ１に記録されるコード値を異なるようにして区分してもよい。
【００５２】
そして、マルチストリーム全体のためのタイムマップを別途に生成しない場合もある。この場合には必要時にマルチストリームに対するタイムマップは各サブストリームのタイムマップを利用して構成するしてもよい。
【００５３】
図１０の第４実施形態では、たとえ二つのデジタルチャネルのストリームを記録しても、セル情報は三つ生成する。したがって、図１０の記録例の場合には、プログラム情報ＰＧＩのセル個数情報Ｃ＿Ｎｓには３（＝「チャネル数＋１」）の値が記録されて、プログラムタイプＰＧ＿ＴＹ内のチャネル数Ｃhａｎｎｅｌ＿Ｎｓは実際のチャネル数である２の値が記録される。
【００５４】
そして、マルチストリーム全体を参照するセル情報ＣＩのチャネル番号Ｃ＿ＣＨ＿Ｎフィールドには、実際のデジタルチャネルが有しない特別な値、例えば「０」を記録する。このように特別な値を記録する理由は、記録されたマルチストリーム形態そのままサーチまたは再生しなければならない場合にはチャネル番号で指定されないので、それが必要な時に記録されたマルチストリームに対するナビゲーション情報を容易に探すためである。
【００５５】
図１１は、一つの記録集合体に記録された複数のデジタルチャネルストリームに対してナビゲーション情報を生成する第５実施形態を図式的に示したものである。
【００５６】
第５実施形態は、複数のチャネルストリームが記録される時、各チャネルのサブストリームに対するタイムマップ情報の他に、マルチチャネルストリームに対する全体のタイムマップ情報１００１を追加的に有することが第２実施形態と異なる。
【００５７】
第５実施形態は、第４実施形態と同様に、図７のタイムマップ一般情報ＰＴＭＡＰ＿ＧＩには「単一」または「混合」を区分するための「タイムマップタイプフィールド」が追加的に割り当てられる。
【００５８】
そして、マルチストリーム全体のためのタイムマップは別途に生成しなくてもよい。その場合には必要時にマルチストリームに対するタイムマップは各サブストリームのタイムマップを利用して構成する。
【００５９】
図１１の第５実施形態でも、第２実施形態と同様に、セル情報は図４のフィールドの他に、「仮想チャネル数（＝「実際のチャネル数＋１」）を記録するためのフィールド」をさらに有し、このフィールドには「実際のチャネル数＋１」の値が記録され、「タイムマップ番号」、「セル開始ＰＴＭ情報」及び「セル終わりＰＴＭ情報」は、そのセルが参照するマルチチャネルストリームのチャネル数より一つ多く生成され、記録される。
【００６０】
そして、「タイムマップ番号」、「セル開始ＰＴＭ情報」及び「セル終わりＰＴＭ情報」のグループが単一のサブストリームに対するものであるかマルチストリーム全体に対するものであるかを区分するために「単一」または「混合」を記録するためのフィールドと、一つのセルが複数のチャネルストリームを管理するので、サブストリームの「チャネル番号を記録するためのフィールド」が、「タイムマップ番号」、「セル開始ＰＴＭ情報」及び「セル終わりＰＴＭ情報」のフィールドグループ毎に一つずつ生成する。
【００６１】
そして、マルチストリーム全体を参照する「タイムマップ番号」、「セル開始ＰＴＭ情報」及び「セル終わりＰＴＭ情報」の「チャネル番号を記録するためのフィールド」には、実際のデジタルチャネルが有しない特別な値、例えば「０」を記録する。
【００６２】
図１２は、一つの記録集合体に記録された複数のデジタルチャネルストリームに対してナビゲーション情報を生成する第６実施形態を図式的に示したものである。
【００６３】
第６実施形態は、複数のチャネルストリームが記録される時、各チャネルのサブストリームに対するタイムマップ情報の他にマルチチャネルストリームに対する全体タイムマップ情報１００１を追加的に有することが図９の第３実施形態と異なる。
【００６４】
第６実施形態は、第４実施形態と同様に、図７のタイムマップ一般情報ＰＴＭＡＰ＿ＧＩには「単一」または「混合」を区分するための「タイムマップタイプフィールド」が追加的に割り当てられる。同様にセル情報ＣＩも「単一」のサブストリームを参照するためのものと「混合」のマルチストリームを参照するためのものに区別されるので、これを区分するためのフィールドが追加的に必要である。このフィールドを追加する代わり図６のセルタイプＣ＿ＴＹ１に記録されるコード値を異なるようにして区分してもよい。
【００６５】
第６実施形態では、マルチストリーム全体に対してもプログラム情報ＰＧＩが生成するので、プログラム情報もそのタイプ（単一／混合）を区分するためのフィールドまたはコード値が必要である。
【００６６】
そして、マルチストリーム全体のためのタイムマップは別途に生成しなくてもよい。その場合には必要時にマルチストリームに対するタイムマップは各サブストリームのタイムマップを利用して構成してもよい。
【００６７】
第６実施形態も第３実施形態と同様にサブストリーム各々に対してプログラム情報ＰＧＩが生成するので、複数のチャネルを記録するための情報をセル情報ＣＩに記録する必要がない。したがって、「チャネル番号Ｃ＿ＣＨ＿Ｎ」フィールドは不要であり、タイムマップ番号ＰＴＭＡＰＮも必要はない。
【００６８】
また、プログラム情報ＰＧＩが複数チャネルを管理する必要がないので、図５のプログラムタイプＰＧ＿ＴＹ内のチャネル数情報Ｃｈａｎｎｅｌ＿Ｎｓが不要である。代わりに、対応する「ストリームのチャネル番号を記録するためのフィールド」を、プログラム情報ＰＧＩに追加的に割り当てることができる。
【００６９】
「ストリームのチャネル番号のためのフィールド」が割り当てられると、マルチストリーム全体と関連したプログラム情報ＰＧＩのフィールドには実際のデジタルチャネルが有しない特別な値、例えば「０」を記録する。
【００７０】
図１３は、一つの記録集合体にチャネルごとに所定単位でグループ化されて記録された複数のデジタルチャネルストリームに対してナビゲーション情報を生成する第７実施形態を図式的に示したものである。
【００７１】
図１３の実施形態は、図３の実施形態と違って、複数のデジタルチャネルストリームを一つの記録集合体に記録した後に、単一のタイムマップＰＴＭＡＰとタイムマップ情報ＰＴＭＡＰＩを生成する。
【００７２】
この第７実施形態は、最初実施形態と比較して、複数のデジタルチャネルのストリームを所定ブロック単位でインターリーブさせて記録した後に一つのタイムマップとタイムマップ情報を生成するので、この実施形態でのタイムマップの各エントリーはどのチャネルのサブストリームに対する時間長さ及び大きさ情報であるかを区別するためのフィールドを追加的に有する。この追加フィールドにはそのサブストリームのチャネル番号が書込まれる。
【００７３】
そして、タイムマップ情報ＰＴＭＡＰＩも対応するタイムマップＰＴＭＡＰが複数のチャネルのストリームに対するサーチ情報を持っているか単一チャネルのストリームに対するサーチ情報を持っているかを識別させるフィールドを追加的に有する。
【００７４】
そして、各サブストリームを参照する各セル情報は、前記生成した単一のタイムマップを同一に参照する。すなわち、複数のセル情報内のタイムマップ番号ＰＴＭＡＰＮフィールドに同一な値が記録される。
【００７５】
以上、前述した本発明の望ましい実施形態は、例示の目的のために開示されたものであって、当業者であれば添付された特許請求範囲に開示された本発明の技術的思想とその技術的範囲内で、多様な他の実施形態を改良、変更、代替または付加などが可能である。
【図面の簡単な説明】
【００７６】
【図１】本発明によるマルチチャネルストリームの記録装置に対する構成を示した図である。
【図２】本発明によって受信されるマルチチャネルストリームから選択されたデジタルチャネルのサブストリームを抽出して出力する形態を示した図である。
【図３】本発明によるマルチチャネルストリームの記録方法の第１実施形態によって記録されたマルチストリームと、それに対応するナビゲーション情報を図式化して示した図である。
【図４】本発明によるマルチチャネルストリームの記録方法のためのナビゲーション情報の構造を各々示した図である。
【図５】本発明によるマルチチャネルストリームの記録方法のためのナビゲーション情報の構造を各々示した図である。
【図６】本発明によるマルチチャネルストリームの記録方法のためのナビゲーション情報の構造を各々示した図である。
【図７】本発明によるマルチチャネルストリームの記録方法のためのナビゲーション情報の構造を各々示した図である。
【図８】本発明によるマルチチャネルストリームの記録方法の第２実施形態によって記録されたマルチストリームと、それに対応するナビゲーション情報を図式化して示した図である。
【図９】本発明によるマルチチャネルストリームの記録方法の第３実施形態によって記録されたマルチストリームと、それに対応するナビゲーション情報を図式化して示した図である。
【図１０】本発明によるマルチチャネルストリームの記録方法の第４実施形態によって記録されたマルチストリームと、それに対応するナビゲーション情報を図式化して示した図である。
【図１１】本発明によるマルチチャネルストリームの記録方法の第５実施形態によって記録されたマルチストリームと、それに対応するナビゲーション情報を図式化して示した図である。
【図１２】本発明によるマルチチャネルストリームの記録方法の第６実施形態によって記録されたマルチストリームと、それに対応するナビゲーション情報を図式化して示した図である。
【図１３】本発明によるマルチチャネルストリームの記録方法の第７実施形態によって記録されたマルチストリームと、それに対応するナビゲーション情報を図式化して示した図である。
【符号の説明】
【００７７】
１０：チューナ部
１１：ストリーム選択部
１２：ストリーム記録部
１３：光ピックアップ
１４：制御部
１００：高密度ＤＶＤ
【図１】
2005251392.tif 000003
【図２】
2005251392.tif 000004
【図３】
2005251392.tif 000005
【図４】
2005251392.tif 000006
【図５】
2005251392.tif 000007
【図６】
2005251392.tif 000008
【図７】
2005251392.tif 000009
【図８】
2005251392.tif 000010
【図９】
2005251392.tif 000011
【図１０】
2005251392.tif 000012
【図１１】
2005251392.tif 000013
【図１２】
2005251392.tif 000014
【図１３】
2005251392.tif 000015